(57)【要約】【課題】水で希釈して使用する場合であっても、洗浄力および消臭効果に優れる台所用液体洗浄剤の提供。【解決手段】本発明の台所用液体洗浄剤は、（Ａ）成分：アルキルベンゼンスルホン酸塩（Ａ１）を含むアニオン界面活性剤と、（Ｂ）成分：両性界面活性剤および半極性界面活性剤からなる群から選択される少なくとも１種と、（Ｃ）成分：ポリエーテル基を有するシリコーン化合物と、（Ｄ）成分：２価金属の無機塩と、を含有し、（（Ａ）成分＋（Ｂ）成分）／（Ｃ）成分で表される質量比が１〜１７５である。【選択図】なし【特許請求の範囲】
【請求項１】
以下の（Ａ）成分と、（Ｂ）成分と、（Ｃ）成分と、（Ｄ）成分とを含有し、
（（Ａ）成分＋（Ｂ）成分）／（Ｃ）成分で表される質量比が１〜１７５である、台所用液体洗浄剤。
（Ａ）成分：アルキルベンゼンスルホン酸塩（Ａ１）を含むアニオン界面活性剤
（Ｂ）成分：両性界面活性剤および半極性界面活性剤からなる群から選択される少なくとも１種
（Ｃ）成分：ポリエーテル基を有するシリコーン化合物
（Ｄ）成分：２価金属の無機塩
【請求項２】
（Ａ）成分が、アルキルベンゼンスルホン酸塩（Ａ１）以外のアニオン界面活性剤（Ａ２）を含む、請求項１に記載の台所用液体洗浄剤。
【請求項３】
（Ａ１）成分／（Ａ２）成分で表される質量比が０．０５〜１５である、請求項２に記載の台所用液体洗浄剤。
【請求項４】
（Ａ２）成分が下記一般式（２）で表される化合物を含む、請求項２または３に記載の台所用液体洗浄剤。
Ｒ２−Ｏ−（ＰＯ）ｍ−（ＥＯ）ｎ−ＳＯ３−  １／Ｘ・Ｍ    ・・・（２）
（式（２）中、Ｒ２は炭素数８〜１８の直鎖または分岐鎖のアルキル基であり、ｍはＰＯの平均繰り返し数を表し、０≦ｍ＜１を満たす数であり、ｎはＥＯの平均繰り返し数を表し、０≦ｎ≦４を満たす数であり、ＰＯはプロピレンオキシ基を表し、ＥＯはエチレンオキシ基を表し、Ｍは対イオンであり、ＸはＭの価数である。）
【請求項５】
（（Ａ）成分＋（Ｂ）成分）／台所用液体洗浄剤に含まれる２価の金属分で表される質量比が１５〜６００である、請求項１〜４のいずれか一項に記載の台所用液体洗浄剤。
【発明の詳細な説明】
【技術分野】
【０００１】
本発明は、台所用液体洗浄剤に関する。
【背景技術】
【０００２】
食器類や調理器具等の台所用品を洗浄する方法としては、スポンジ等の洗浄具に水を含ませ、これに台所用液体洗浄剤（以下、単に「洗浄剤」ともいう。）を取り、この洗浄具で洗浄対象を擦り洗いする方法、洗浄剤を水で希釈して洗浄液とし、この洗浄液に洗浄対象を浸漬しながらスポンジ等の洗浄具で擦り洗いする方法、洗浄剤を水で希釈した洗浄液をスポンジ等の洗浄具にしみ込ませて洗浄対象を擦り洗いする方法などがある。
そのため、洗浄剤には、水で希釈して使用する場合と水で希釈せずに使用する場合との両方において、充分な洗浄力を有することが求められる。しかし、例えば水で希釈せずに使用する場合において良好な洗浄力が得られる洗浄剤であっても、水で希釈して使用する場合において良好な洗浄力が得られない場合がある。
【０００３】
洗浄力に優れる洗浄剤として、例えば特許文献１には、ノニオン界面活性剤と、ナロー率が５５質量％以上のポリオキシエチレンアルキルエーテル硫酸エステル塩と、両性または半極性界面活性剤と、ポリエーテル変性シリコーンと、ハイドロトロープ剤とを含有する台所用液体洗浄剤が開示されている。
特許文献２には、アルコールにエチレンオキシ基およびプロピレンオキシ基の少なくとも一方が導入された特定の構造を有する化合物と、アニオン界面活性剤と、両性または半極性界面活性剤と、ポリエーテル変性シリコーンとを含有する台所用液体洗浄剤が開示されている。
特許文献３には、アニオン界面活性剤と、両性または半極性界面活性剤と、ポリエーテル変性シリコーンとを含有する台所用液体洗浄剤が開示されている。
【先行技術文献】
【特許文献】
【０００４】
【特許文献１】特開２０１０−３７５５２号公報
【特許文献２】特開２０１１−１５３２３３号公報
【特許文献３】特開２０１０−１８６８０号公報
【発明の概要】
【発明が解決しようとする課題】
【０００５】
ところで、洗浄後の台所用品を目視や手で触って汚れ残りの有無を確認することがあるが、洗浄後の台所用品の臭いを嗅いで、食材臭などの臭い残りを確認することで汚れ落ちを評価することもある。
洗浄剤を直接洗浄具に取って台所用品を洗浄する場合は、洗浄剤の濃度が高い状態で台所用品を洗浄するので、洗浄力や臭い残りは問題になりにくい。一方、洗浄剤を水で希釈して台所用品を洗浄する場合は、洗浄剤の濃度が低い状態で台所用品を洗浄するので、洗浄力に問題がなくても食材臭などの臭い残りが生じることがある。
よって、洗浄剤には、洗浄力に加えて、水で希釈して使用する場合でも優れた消臭力を発揮することも求められる。
【０００６】
特許文献１に記載の台所用液体洗浄剤は、洗浄力に加えて、手肌マイルド性や透明外観に優れる。
特許文献２に記載の台所用液体洗浄剤は、洗浄力に加えて、泡量の持続性やスポンジの弾力感の維持に優れ、しかも、手肌の乾燥感を感じにくい。
特許文献３に記載の台所用液体洗浄剤は、洗浄力に加えて、泡量の持続性や透明感に優れ、しかも手肌への感触付与効果も有する。
しかしながら、特許文献１〜３に記載の台所用液体洗浄剤では、水で希釈して使用した場合に充分な消臭効果が得られなかった。
【０００７】
本発明は上記事情を鑑みてなされたものであり、水で希釈して使用する場合であっても、洗浄力および消臭効果に優れる台所用液体洗浄剤を提供することを目的とする。
【課題を解決するための手段】
【０００８】
本発明は以下の態様を有する。
［１］  以下の（Ａ）成分と、（Ｂ）成分と、（Ｃ）成分と、（Ｄ）成分とを含有し、（（Ａ）成分＋（Ｂ）成分）／（Ｃ）成分で表される質量比が１〜１７５である、台所用液体洗浄剤。
（Ａ）成分：アルキルベンゼンスルホン酸塩（Ａ１）を含むアニオン界面活性剤
（Ｂ）成分：両性界面活性剤および半極性界面活性剤からなる群から選択される少なくとも１種
（Ｃ）成分：ポリエーテル基を有するシリコーン化合物
（Ｄ）成分：２価金属の無機塩
［２］  （Ａ）成分が、アルキルベンゼンスルホン酸塩（Ａ１）以外のアニオン界面活性剤（Ａ２）を含む、［１］に記載の台所用液体洗浄剤。
［３］  （Ａ１）成分／（Ａ２）成分で表される質量比が０．０５〜１５である、［２］に記載の台所用液体洗浄剤。
［４］  （Ａ２）成分が下記一般式（２）で表される化合物を含む、［２］または［３］に記載の台所用液体洗浄剤。
Ｒ２−Ｏ−（ＰＯ）ｍ−（ＥＯ）ｎ−ＳＯ３−  １／Ｘ・Ｍ    ・・・（２）
（式（２）中、Ｒ２は炭素数８〜１８の直鎖または分岐鎖のアルキル基であり、ｍはＰＯの平均繰り返し数を表し、０≦ｍ＜１を満たす数であり、ｎはＥＯの平均繰り返し数を表し、０≦ｎ≦４を満たす数であり、ＰＯはプロピレンオキシ基を表し、ＥＯはエチレンオキシ基を表し、Ｍは対イオンであり、ＸはＭの価数である。）
［５］  （（Ａ）成分＋（Ｂ）成分）／台所用液体洗浄剤に含まれる２価の金属分で表される質量比が１５〜６００である、［１］〜［４］のいずれか１つに記載の台所用液体洗浄剤。
［６］  （Ａ１）成分が、炭素数１０〜１４の直鎖アルキル基を有するアルキルベンゼンスルホン酸塩を含む、［１］〜［５］のいずれか１つに記載の台所用液体洗浄剤。
［７］  両性界面活性剤が、アルキルジメチルアミノ酢酸ベタイン、脂肪酸アミドプロピルジメチルアミノ酢酸ベタイン、アルキルヒドロキシスルホベタイン、脂肪酸アミドプロピルヒドロキシスルホベタインからなる群から選択される少なくとも１種のベタイン型界面活性剤である、［１］〜［６］のいずれか１つに記載の台所用液体洗浄剤。
［８］  半極性界面活性剤が、アルキルジメチルアミンオキシド、アルカノイルアミドアルキルジメチルアミンオキシドからなる群から選択される少なくとも１種のアミンオキシド型界面活性剤である、［１］〜［６］のいずれか１つに記載の台所用液体洗浄剤。
［９］  （Ｄ）成分が、マグネシウム塩および亜鉛塩からなる群から選択される少なくとも１種を含む、［１］〜［８］のいずれか１つに記載の台所用液体洗浄剤。
［１０］  上記一般式（２）で表される化合物が、ポリオキシエチレンアルキルエーテル硫酸エステル塩およびアルキルエーテル硫酸エステル塩からなる群から選択される少なくとも１種である、［４］に記載の台所用液体洗浄剤。
【発明の効果】
【０００９】
本発明の台所用液体洗浄剤は、水で希釈して使用する場合であっても、洗浄力および消臭効果に優れる。
【発明を実施するための形態】
【００１０】
以下、本発明を詳細に説明する。
本発明の台所用液体洗浄剤（以下、単に「洗浄剤」ともいう。）は、以下に示す（Ａ）成分と、（Ｂ）成分と、（Ｃ）成分と、（Ｄ）成分とを含有する。
【００１１】
＜（Ａ）成分＞
（Ａ）成分は、アニオン界面活性剤である。
（Ａ）成分は、アルキルベンゼンスルホン酸塩（以下、「（Ａ１）成分」ともいう。）を必須成分として含む。（Ａ）成分は、（Ａ１）成分以外のアニオン界面活性剤（以下、「（Ａ２）成分」ともいう。）をさらに含むことが好ましい。
【００１２】
（（Ａ１）成分）
（Ａ１）成分は、アルキルベンゼンスルホン酸塩である。
洗浄剤が（Ａ１）成分と、後述する（Ｂ）成分、（Ｃ）成分および（Ｄ）成分とを併有することで、水で希釈して使用する場合でも、洗浄力および食材由来の臭いに対する消臭力に優れる。
（Ａ１）成分としては、下記一般式（１）で表される化合物が挙げられる。
【００１３】
【化１】
2018002823.tif 000002
【００１４】
式（１）中、Ｒ１は炭素数８〜１８の直鎖または分岐鎖のアルキル基であり、ｒは１〜３の数であり、Ｍは対イオンであり、ＸはＭの価数である。
【００１５】
Ｒ１は炭素数８〜１８の直鎖または分岐鎖のアルキル基であり、直鎖のアルキル基が好ましい。Ｒ１の炭素数は１０〜１４が好ましい。
ｒは１〜３の数であり、１または２の数が好ましい。ｒが２以上の場合、複数存在するＲ１は、同じであってもよいし、それぞれ異なっていてもよい。
Ｍは対イオンである。Ｍとしては、アルカリ金属、アルカリ土類金属、アンモニウム、アルカノールアミンなどの陽イオンが挙げられる。具体的にはナトリウム、カリウム等のアルカリ金属陽イオン；カルシウム、マグネシウム等のアルカリ土類金属陽イオン；アンモニウムイオン、モノエタノールアミン、ジエタノールアミン、トリエタノールアミンなどが挙げられる。これらの中でも、アルカリ金属陽イオンが好ましく、ナトリウムイオンが特に好ましい。
ＸはＭの価数である。
（Ａ１）成分は、１種を単独で用いてもよいし、２種以上を適宜組み合わせて用いてもよい。
【００１６】
（（Ａ２）成分）
（Ａ２）成分は、（Ａ１）成分以外のアニオン界面活性剤である。
洗浄剤が（Ａ１）成分と（Ａ２）成分とを併有することで、水で希釈して使用する場合でも、洗浄力および消臭力がより高まる。
【００１７】
（Ａ２）成分としては、α−スルホ脂肪酸エステル、α−オレフィンスルホン酸塩、直鎖または分岐鎖のアルキルエーテル硫酸エステル塩、直鎖または分岐鎖のアルケニルエーテル硫酸エステル塩、直鎖または分岐鎖のアルカンスルホン酸塩、ポリオキシエチレンアルキルエーテル硫酸エステル塩などが挙げられる。これらの塩としては、ナトリウム、カリウムなどのアルカリ金属塩、モノエタノールアミン、ジエタノールアミンなどのアルカノールアミン塩等が挙げられる。
これらの中でも、良好な泡立ち性の点で、下記一般式（２）で表される化合物である、ポリオキシエチレンアルキルエーテル硫酸エステル塩およびアルキルエーテル硫酸エステル塩からなる群から選択される少なくとも１種が好ましい。
Ｒ２−Ｏ−（ＰＯ）ｍ−（ＥＯ）ｎ−ＳＯ３−  １／Ｘ・Ｍ    ・・・（２）
【００１８】
式（２）中、Ｒ２は炭素数８〜１８の直鎖または分岐鎖のアルキル基であり、ｍはＰＯの平均繰り返し数を表し、０≦ｍ＜１を満たす数であり、ｎはＥＯの平均繰り返し数を表し、０≦ｎ≦４を満たす数であり、ＰＯはプロピレンオキシ基を表し、ＥＯはエチレンオキシ基を表し、Ｍは対イオンであり、ＸはＭの価数である。
【００１９】
Ｒ２は炭素数８〜１８の直鎖または分岐鎖のアルキル基である。Ｒ２の炭素数は１０〜１６が好ましく、１２〜１４がより好ましい。Ｒ２のアルキル基としては、洗浄力および環境面から、植物油脂原料由来のアルキル基であることが好ましい。好適な油脂原料としては、パーム核油、ヤシ油などが挙げられる。
ｍはＰＯの平均繰り返し数（すなわち、プロピレンオキシドの平均付加モル数）を表し、０≦ｍ＜１を満たす数であり、０が好ましい。
ｎはＥＯの平均繰り返し数（すなわち、エチレンオキシドの平均付加モル数）を表し、０≦ｎ≦４を満たす数であり、０≦ｎ≦２が好ましい。
ｍおよびｎが０超の場合、−（ＰＯ）ｍ−（ＥＯ）ｎ−におけるＰＯとＥＯは、ブロック状に配列しても、ランダム状に配列してもよい。
ＰＯはプロピレンオキシ基である。
ＥＯはエチレンオキシ基である。
Ｍは前記式（１）中のＭと同様である。Ｍとしては、アルカリ金属陽イオンが好ましく、ナトリウムイオンが特に好ましい。
Ｘは前記式（１）中のＸと同様である。
【００２０】
（Ａ２）成分の具体例としては、ポリオキシエチレン（１）直鎖アルキル（Ｃ１２）エーテル硫酸エステルナトリウム塩、ポリオキシエチレン（２）直鎖アルキル（Ｃ１２）エーテル硫酸エステルナトリウム塩、ポリオキシエチレン（３）直鎖アルキル（Ｃ１２）エーテル硫酸エステルナトリウム塩、ポリオキシプロピレン（０．４）ポリオキシエチレン（１．５）直鎖アルキル（Ｃ１２）エーテル硫酸エステルナトリウム塩、ポリオキシエチレン（１）直鎖アルキル（Ｃ１２／１４＝７５／２５；天然油脂由来）エーテル硫酸エステルナトリウム塩、ポリオキシエチレン（２）直鎖アルキル（Ｃ１２／１４＝７５／２５；天然油脂由来）エーテル硫酸エステルナトリウム塩、ポリオキシエチレン（３）直鎖アルキル（Ｃ１２／１４＝７５／２５；天然油脂由来）エーテル硫酸エステルナトリウム塩、ポリオキシプロピレン（０．４）ポリオキシエチレン（１．５）直鎖アルキル（Ｃ１２／１４＝７５／２５；天然油脂由来）エーテル硫酸エステルナトリウム塩、アルキル（Ｃ１２）エーテル硫酸エステルナトリウム塩などが挙げられる。
これらの中でも、本発明の効果が特に得られやすいことから、ポリオキシエチレン（１）直鎖アルキル（Ｃ１２／１４＝７５／２５；天然油脂由来）エーテル硫酸エステルナトリウム塩、ポリオキシエチレン（２）直鎖アルキル（Ｃ１２／１４＝７５／２５；天然油脂由来）エーテル硫酸エステルナトリウム塩、ポリオキシエチレン（３）直鎖アルキル（Ｃ１２／１４＝７５／２５；天然油脂由来）エーテル硫酸エステルナトリウム塩、アルキル（Ｃ１２）エーテル硫酸エステルナトリウム塩が好ましい。
（Ａ２）成分は、１種を単独で用いてもよいし、２種以上を適宜組み合わせて用いてもよい。
【００２１】
ここで、例えば「ポリオキシエチレン（１）」とは、エチレンオキシ基の平均繰返し数が１（エチレンオキシドの平均付加モル数が１）であることを意味する。
「Ｃ１２／１４＝７５／２５；天然油脂由来」とは、炭素数１２の直鎖アルキル基を有するものと、炭素数１４の直鎖アルキル基を有するものとの混合物（混合比率：質量比で７５／２５）であること、天然油脂由来の直鎖状のアルキル基であることを意味する。
【００２２】
（Ａ１）成分／（Ａ２）成分で表される質量比（以下、「Ａ１／Ａ２比」ともいう。）は０．０５〜１５が好ましく、０．２〜４．５がより好ましく、０．４５〜２がさらに好ましい。
Ａ１／Ａ２比が上記範囲内であれば、消臭効果がより高まる。
【００２３】
また、（Ａ）成分が（Ａ２）成分を含む場合、（Ａ１）成分の含有量は、洗浄剤の総質量に対して１〜３０質量％が好ましく、３〜１３質量％がより好ましい。（Ａ２）成分の含有量は、洗浄剤の総質量に対して１〜３０質量％が好ましく、３〜１３質量％がより好ましい。（Ａ）成分の含有量は、洗浄剤の総質量に対して５〜４０質量％が好ましく、１０〜３０質量％がより好ましい。
（Ａ１）成分の含有量が上記下限値以上であれば、洗浄力および消臭効果がより高まる。一方、（Ａ１）成分の含有量が上記上限値以下であれば、洗浄剤の外観安定性が良好となる。
（Ａ２）成分の含有量が上記下限値以上であれば、洗浄力および消臭効果が高まり、加えて、泡立ち性が向上する。一方、（Ａ２）成分の含有量が上記上限値以下であれば、粘度が高くなりすぎず、適度な範囲に調整しやすくなる。
（Ａ）成分の含有量が上記下限値以上であれば、洗浄力および消臭効果がより高まる。一方、（Ａ）成分の含有量が上記上限値以下であれば、粘度が高くなりすぎずに適度な範囲に調整しやすく、外観安定性も良好となる。
【００２４】
（Ａ）成分が（Ａ２）成分を含まない場合、（Ａ１）成分の含有量、すなわち（Ａ）成分の含有量は、洗浄剤の総質量に対して１０〜３０質量％が好ましく、１５〜２５質量％がより好ましい。
（Ａ１）成分の含有量が上記下限値以上であれば、洗浄力および消臭効果がより高まる。加えて、洗浄剤の外観安定性も向上する。一方、（Ａ１）成分の含有量が上記上限値以下であれば、外観安定性が良好となる。
【００２５】
＜（Ｂ）成分＞
（Ｂ）成分は、両性界面活性剤および半極性界面活性剤からなる群から選択される少なくとも１種である。
なお、「半極性界面活性剤」とは、半極性結合（無極性結合および極性結合の中間の性質を有する結合）を有する界面活性剤のことであり、半極性界面活性剤が溶解する溶液または分散する分散系のｐＨにより、陽イオン性、陰イオン性または両極性となるものをいう。
【００２６】
両性界面活性剤（以下、「（Ｂ１）成分」ともいう。）としてはベタイン型界面活性剤が挙げられ、具体的にはアルキルジメチルアミノ酢酸ベタイン、脂肪酸アミドプロピルジメチルアミノ酢酸ベタイン、アルキルヒドロキシスルホベタイン、脂肪酸アミドプロピルヒドロキシスルホベタインなどが挙げられる。
これらの中でも、炭素数８〜２２のアルキル基を有するベタイン型両性界面活性剤が好ましい。炭素数は１０〜１８がより好ましく、１２〜１６がさらに好ましい。その中でも特に、水で希釈して使用する場合でも消臭力を良好に維持しやすい点で、アミド基を有する、脂肪酸（炭素数８〜２２）アミドプロピルジメチルアミノ酢酸ベタイン、脂肪酸（炭素数８〜２２）アミドプロピルヒドロキシスルホベタインが好ましい。
脂肪酸（炭素数８〜２２）アミドプロピルジメチルアミノ酢酸ベタインとしては、ラウリン酸アミドプロピルジメチルアミノ酢酸ベタイン（例えばライオン株式会社製の商品名：エナジーコール Ｌ−３０Ｂ等）、ヤシ油脂肪酸アミドプロピルジメチルアミノ酢酸ベタイン（例えばＥｖｏｎｉｃ社製の商品名：Ｔｅｇｏ  Ｂｅｔａｉｎ  Ｌ７等）がより好ましい。
（Ｂ１）成分は、１種を単独で用いてもよいし、２種以上を適宜組み合わせて用いてもよい。
【００２７】
半極性界面活性剤（以下、「（Ｂ２）成分」ともいう。）としては、例えばアミンアルキレンオキシド型界面活性剤、アミンオキシド型界面活性剤が挙げられる。これらの中でも、アミンオキシド型界面活性剤が好ましい。
アミンオキシド型界面活性剤としては、例えばアルキルアミンオキシド、アルキルアミドプロピルジメチルアミンオキシドなどが挙げられ、これらの中でも下記一般式（３）で表される化合物が好ましい。
【００２８】
【化２】
2018002823.tif 000003
【００２９】
式（３）中、Ｒ３は炭素数８〜１８の直鎖状もしくは分岐鎖状のアルキル基、または炭素数８〜１８の直鎖状もしくは分岐鎖状のアルケニル基であり、Ｒ４、Ｒ５はそれぞれ独立して炭素数１〜３のアルキル基または炭素数１〜３のヒドロキシアルキル基であり、Ｒ６は炭素数１〜４のアルキレン基である。Ａは−ＣＯＮＨ−、−ＮＨＣＯ−、−ＣＯＯ−、−ＯＣＯ−または−Ｏ−であり、ｐは０または１の数である。
【００３０】
Ｒ３は炭素数８〜１８の直鎖状もしくは分岐鎖状のアルキル基、または炭素数８〜１８の直鎖状もしくは分岐鎖状のアルケニル基であり、炭素数８〜１８の直鎖状もしくは分岐鎖状のアルキル基が好ましい。Ｒ３の炭素数は１０〜１４が好ましい。
Ｒ４、Ｒ５はそれぞれ独立して炭素数１〜３のアルキル基または炭素数１〜３のヒドロキシアルキル基であり、炭素数１〜３のアルキル基が好ましく、メチル基がより好ましく、Ｒ４およびＲ５がいずれもメチル基であることがさらに好ましい。
Ｒ６は炭素数１〜４のアルキレン基である。
Ａは−ＣＯＮＨ−、−ＮＨＣＯ−、−ＣＯＯ−、−ＯＣＯ−または−Ｏ−である。
ｐは０または１の数であり、０が好ましい。
【００３１】
アミンオキシド型界面活性剤の具体例としては、ラウリルジメチルアミンオキシド、ヤシアルキルジメチルアミンオキシド、ラウリルジエチルアミンオキシド等のアルキルジメチルアミンオキシド；ラウリン酸アミドプロピルアミンオキシド等のアルカノイルアミドアルキルジメチルアミンオキシドなどが挙げられる。これらの中でも、油汚れに対する洗浄力が特に良好であることから、アルキルジメチルアミンオキシドがより好ましい。
（Ｂ２）成分は、１種を単独で用いてもよいし、２種以上を適宜組み合わせて用いてもよい。
【００３２】
（Ｂ）成分としては、（Ｂ１）成分のみを用いてもよいし、（Ｂ２）成分のみを用いてもよいし、（Ｂ１）成分と（Ｂ２）成分とを併用してもよい。
（Ｂ）成分の含有量は、洗浄剤の総質量に対して０．０５〜５質量％が好ましく、０．２〜２質量％がより好ましい。
（Ｂ）成分の含有量が上記下限値以上であれば、洗浄力および消臭効果がより高まる。一方、（Ｂ）成分の含有量が上記上限値以下であれば、粘度が高くなりすぎず、適度な範囲に調整しやすい。
【００３３】
＜（Ｃ）成分＞
（Ｃ）成分は、ポリエーテル基を有するシリコーン化合物である。
（Ｃ）成分は、ジメチルポリシロキサン骨格の末端あるいは側鎖にポリエーテル基を導入したシリコーンオイル（ポリエーテル変性シリコーン）であり、ポリエーテル基以外にアミノ基、アミド基、アルキル基等の置換基で変性されていてもよい。
（Ｃ）成分は、ポリエーテル基を有しないジメチルポリシロキサンに比べて、高分子量の分子であっても水等への溶解性が非常に高いものである。
【００３４】
（Ｃ）成分の質量平均分子量は、２０００〜３００００が好ましく、５０００〜２５０００がより好ましい。
（Ｃ）成分の質量平均分子量が上記下限値以上であれば、特に油汚れに対する洗浄力がより高まる。一方、（Ｃ）成分の質量平均分子量が上記上限値以下であれば、（Ｃ）成分自体の粘度が高くなりすぎず、取り扱い性が良好となる。
なお、（Ｃ）成分の質量平均分子量は、標準物質をポリスチレンとしてゲルパーミエーションクロマトグラフィー（ＧＰＣ）で分析を行った値である。
【００３５】
（Ｃ）成分の分子構造は、直鎖状であってもよく、分岐鎖状であってもよく、架橋していてもよい。
（Ｃ）成分としては、例えば直鎖変性タイプ、側鎖変性タイプが挙げられ、側鎖変性タイプが好ましい。側鎖変性タイプのシリコーン化合物としては、下記一般式（４）で表される化合物が挙げられる。
【００３６】
【化３】
2018002823.tif 000004
【００３７】
式（４）中、Ｒ７は水素原子またはアルキル基であり、ｈはＥＯの平均繰り返し数を表し、２≦ｈ≦１００を満たす数であり、ｉはＰＯの平均繰り返し数を表し、０≦ｉ≦５０を満たす数であり、ｊは５〜１００００の数であり、ｋは１〜１０００の数である。
【００３８】
Ｒ７は水素原子またはアルキル基である。Ｒ７のアルキル基は、炭素数１〜４が好ましく、洗浄剤への溶解力が良好であることからメチル基がより好ましい。
ｈはＥＯの平均繰り返し数（すなわち、エチレンオキシドの平均付加モル数）を表し、２≦ｈ≦１００を満たす数であり、洗浄剤への溶解力が向上することから、５〜２０の数がより好ましい。
ｉはＰＯの平均繰り返し数（すなわち、プロピレンオキシドの平均付加モル数）を表し、０≦ｉ≦５０を満たす数であり、洗浄剤への溶解力が向上することから、０〜１０の数がより好ましい。
ｊはジメチルシロキサン基の平均重合度を表し、５≦ｊ≦１００００を満たす数であり、洗浄剤への溶解力が向上することから、５≦ｊ≦１０００を満たす数がより好ましい。
ｋはメチルポリオキシアルキレンプロピルシロキサン基の平均重合度を表し、１≦ｋ≦１０００を満たす数であり、洗浄剤への溶解力が向上することから、１≦ｋ≦５０を満たす数がより好ましい。
【００３９】
（Ｃ）成分の具体例としては、東レ・ダウコーニング株式会社製の商品名：ＦＺ−２２３３、ＦＺ−２２３１、ＳＩＬＳＴＹＬＥ  １０４、ＳＩＬＳＴＹＬＥ  ２０１、ＳＩＬＳＴＹＬＥ  ４０１、ＳＨ３７７１Ｍ、ＳＨ３７７３Ｍ、ＳＨ３７７２Ｍ、ＳＨ３７７５Ｍ、ＳＨ３７４８、ＳＨ３７４９、ＳＦ８４１０、ＳＨ８７００、ＢＹ２２−００８、ＳＦ８４２１；信越化学工業株式会社製の商品名：ＫＦ３５２Ａ、ＫＦ６００８、ＫＦ６１５Ａ、ＫＦ６０１６、ＫＦ６０１７；モメンティブ・パフォーマンス・マテリアルズ・ジャパン合同会社製の商品名：ＴＳＦ４４５０、ＴＳＦ４４５２などが挙げられる。
これらの中でもＳＨ３７７１Ｍ、ＳＨ３７７３Ｍ、ＳＨ３７７２Ｍ、ＳＨ３７７５Ｍ、ＳＨ３７４９が好ましい。
（Ｃ）成分は、１種を単独で用いてもよいし、２種以上を適宜組み合わせて用いてもよい。
【００４０】
（Ｃ）成分の含有量は、洗浄剤の総質量に対して０．１〜８質量％が好ましく、０．３〜５質量％がより好ましい。
（Ｃ）成分の含有量が上記範囲内であれば、洗浄力および消臭効果がより高まる。
【００４１】
また、（（Ａ）成分＋（Ｂ）成分）／（Ｃ）成分で表される質量比（以下、「（Ａ＋Ｂ）／Ｃ比」ともいう。）は１〜１７５であり、２．５〜６０が好ましく、４．５〜３５がより好ましい。
（Ａ＋Ｂ）／Ｃ比が上記範囲内であれば、消臭効果が高まる。
【００４２】
＜（Ｄ）成分＞
（Ｄ）成分は、２価金属の無機塩である。
２価の金属としては、マグネシウム、カルシウム等のアルカリ土類金属；銅、鉄、ニッケル、マンガン等の遷移金属；亜鉛などが挙げられる。これらの塩としては、塩化物塩、臭化物塩、ヨウ化物塩、水酸化物塩、酢酸塩、硝酸塩、炭酸塩、硫酸塩、燐酸塩などが挙げられる。
【００４３】
（Ｄ）成分としては、塩化マグネシウム、臭化マグネシウム、ヨウ化マグネシウム、水酸化マグネシウム、酢酸マグネシウム、硝酸マグネシウム、炭酸マグネシウム、硫酸マグネシウム、燐酸マグネシウム等のマグネシウム塩；塩化亜鉛、臭化亜鉛、ヨウ化亜鉛、水酸化亜鉛、酢酸亜鉛、硝酸亜鉛、炭酸亜鉛、硫酸亜鉛、燐酸亜鉛等の亜鉛塩が好ましく、洗浄性能、消臭性能、溶解性によるハンドリング性に優れ観点から、硫酸マグネシウム、塩化マグネシウム、硫酸亜鉛がより好ましい。
（Ｄ）成分は、水和物の状態であってもよし、無水物の状態であってもよい。
（Ｄ）成分は、１種を単独で用いてもよいし、２種以上を適宜組み合わせて用いてもよい。
【００４４】
台所用液体洗浄剤に含まれる２価の金属分の含有量は、洗浄剤の総質量に対して０．０３〜１質量％が好ましく、０．０５〜０．５質量％がより好ましい。
２価の金属分の含有量が上記範囲内であれば、洗浄力および消臭効果がより高まる。
なお、２価の金属分は（Ｄ）成分に由来するが、洗浄剤が（Ａ１）成分として式（１）で表される化合物を含有し、かつ式（１）中のＭがアルカリ土類金属陽イオンである場合、２価の金属分は（Ｄ）成分に加えて（Ａ１）成分中のアルカリ土類金属陽イオンにも由来する。また、洗浄剤が（Ａ２）成分として式（２）で表される化合物を含有し、かつ式（２）中のＭがアルカリ土類金属陽イオンである場合、２価の金属分は（Ｄ）成分に加えて（Ａ２）成分中のアルカリ土類金属陽イオンにも由来する。
【００４５】
また、（（Ａ）成分＋（Ｂ）成分）／台所用液体洗浄剤に含まれる２価の金属分で表される質量比（以下、「（Ａ＋Ｂ）／２価の金属分比」ともいう。）は１５〜６００が好ましく、３０〜３５０がより好ましく、５５〜１７０がさらに好ましい。
（Ａ＋Ｂ）／２価の金属分比が上記範囲内であれば、消臭効果がより高まる。
【００４６】
＜溶媒＞
本発明の洗浄剤は、調製しやすさ、使用する際の水への溶解性等の観点から、溶媒として水（以下、「（Ｅ）成分」ともいう。）を含有することが好ましい。
（Ｅ）成分としては、水道水、イオン交換水、純水、蒸留水など、いずれも用いることができる。中でもイオン交換水が好適である。
【００４７】
（Ｅ）成分の含有量は、他の成分の含有量を考慮して適宜設定できる。具体的には、（Ｅ）成分の含有量は、洗浄剤の総質量に対して２０〜９０質量％が好ましく、４０〜８５質量％がより好ましく、５０〜７５質量％がより好ましい。
（Ｅ）成分の含有量が上記下限値以上であれば、洗浄剤のゲル化が抑制され、経時に伴う洗浄剤の液安定性が良好となる。一方、（Ｅ）成分の含有量が上記上限値以下であれば、（Ａ）〜（Ｄ）成分の配合バランスがとりやすくなる。また、洗浄剤の粘度が低くなりすぎず、使用性が良好となる。
なお、（Ｄ）成分が水和物の場合、（Ｅ）成分の含有量には（Ｄ）成分由来の水も含まれる。
【００４８】
＜任意成分＞
本発明の洗浄剤には、本発明の効果を損なわない範囲であれば、必要に応じて上述した成分以外の任意成分が配合されていてもよい。
任意成分としては、通常、台所用液体洗浄剤に配合される成分が挙げられ、例えばノニオン界面活性剤、ハイドロトロープ剤、ｐＨ調整剤、漂白成分、香料などが挙げられる。
【００４９】
ノニオン界面活性剤としては特に限定されず、公知のものを使用できるが、例えばＲ８−Ｏ−（Ｒ９Ｏ）ｑ−Ｈ（Ｒ８は炭素数８〜１８の直鎖または分岐鎖の炭化水素基、Ｒ９は炭素数１〜３の炭化水素基、好ましくはアルキレン基、ｑはＲ９Ｏの平均繰り返し数であり、１≦ｑ≦２０を満たす数であり、好ましくは５≦ｑ≦１５を満たす数である。）で表されるポリオキシアルキレン付加型ノニオン界面活性剤、；脂肪酸アルカノールアミド、アルキルグリコシド、ソルビタン脂肪酸エステルなどが挙げられる。これらの中でも、ポリオキシアルキレン（炭素数２〜３）アルキル（炭素数８〜１８）エーテル（アルキレンオキシド平均付加モル数５〜１５）、脂肪酸アルカノールアミドが好ましい。
ノニオン界面活性剤は、１種を単独で用いてもよいし、２種以上を適宜組み合わせて用いてもよい。
ノニオン界面活性剤の含有量は、洗浄剤の総質量に対して０．１〜１０質量％が好ましく、０．５〜５質量％がより好ましい。
【００５０】
ハイドロトロープ剤としては、炭素数２〜４の１価アルコール（例えばエタノール、ｎ−プロパノール、イソプロパノール、ノルマルブタノール、セカンダリーブタノール、ターシャルブタノール等）、炭素数４〜１０のグリセリルエーテル（例えばグリセリンやヘキシルグリセリルエーテル等）、トルエンスルホン酸、トルエンスルホン酸塩、クメンスルホン酸、クメンスルホン酸塩、安息香酸、安息香酸塩などが挙げられる。これらの中でも、洗浄剤中の（Ａ）〜（Ｄ）成分の溶解効果や使用感に優れる点から、エタノールが好ましい。
ハイドロトロープ剤は、１種を単独で用いてもよいし、２種以上を適宜組み合わせて用いてもよい。
ハイドロトロープ剤の含有量は、洗浄剤の総質量に対して０．１〜１０質量％が好ましく、０．３〜５質量％がより好ましくい。
【００５１】
ｐＨ調整剤としては、塩酸、硫酸、リン酸、グリコール酸、クエン酸、水酸化ナトリウム、水酸化カリウム、モノエタノールアミン、ジエタノールアミン、トリエタノールアミンなどが挙げられる。
ｐＨ調整剤は、１種を単独で用いてもよいし、２種以上を適宜組み合わせて用いてもよい。
【００５２】
なお、洗浄剤に含まれる全ての成分の含有量の合計が、１００質量％となるものとする。
【００５３】
＜物性＞
洗浄剤の２５℃におけるｐＨは、２〜９が好ましく、３〜８がより好ましい。
洗浄剤のｐＨは、上述したｐＨ調整剤を用いて調整すればよい。
なお、洗浄剤（２５℃に調温）のｐＨは、ｐＨメーターを用い、ＪＩＳ  Ｋ３３６２−１９９８に準拠した方法により測定される値である。
【００５４】
＜製造方法＞
本発明の洗浄剤の製造方法は特に限定されず、例えば（Ｅ）成分と（Ａ１）成分とを混合した後に、これに残りの成分を加え、所定のｐＨに調整する方法が挙げられる。
【００５５】
＜作用効果＞
以上説明した本発明の洗浄剤は、（Ａ）成分と（Ｂ）成分と（Ｃ）成分と（Ｄ）成分とを含有し、かつ（Ａ＋Ｂ）／Ｃ比を規定しているので、水で希釈して使用する場合であっても、洗浄力および消臭効果に優れる。
【００５６】
＜使用方法＞
本発明の洗浄剤を用いて台所用品を洗浄する際には、本発明の洗浄剤を水で希釈して使用してもよいし、水で希釈せずに使用してもよい。本発明の洗浄剤は、水で希釈して使用する場合であっても洗浄力に優れるので、水で希釈して使用する台所用液体洗浄剤として特に好適に用いられる。
本発明の洗浄剤を水で希釈して使用する場合、１Ｌの水に本発明の洗浄剤を５〜１５ｇ程度溶解させて使用することが好ましい。
本発明の洗浄剤を希釈せずに使用する場合、スポンジ等の洗浄具に１〜１０ｇ程度取って使用することが好ましい。
【実施例】
【００５７】
以下、実施例を示して本発明を詳細に説明するが、本発明は以下の記載によって限定されるものではない。なお、各例で用いた成分の配合量は、特に断りのない限り純分換算値である。
【００５８】
「使用原料」
（Ａ）成分として、以下に示す化合物を用いた。
・Ａ１−１：炭素数１０〜１４の直鎖アルキル基を有する直鎖アルキルベンゼンスルホン酸ナトリウム（ＬＡＳ）（ライオン・スペシャリティ・ケミカルズ株式会社製、商品名「ライポンＬＳ−２５０」、純度：５０質量％）。
・Ａ２−１：ラウリルエーテル硫酸エステルナトリウム（ＳＬＳ）（ライオン・スペシャリティ・ケミカルズ株式会社製、商品名「サンノール ＬＭ−１１３０」、純度：３３質量％）。
・Ａ２−２：炭素数１２、１４の天然アルコール（質量比：Ｃ１２／Ｃ１４＝７５／２５）に、２モル相当のエチレンオキシドを付加した、ポリオキシエチレンアルキルエーテル硫酸エステルナトリウム（ＡＥＳ）（新日本理化株式会社製、商品名「シノリンＳＰＥ−１２５０」、純度：７０質量％）。
・Ａ２−３：炭素数１６〜１８の直鎖アルキル脂肪酸のメチルエステル（α−スルホ脂肪酸アルキルエステル塩、ＭＥＳ）（ライオンエコケミカル社製、商品名「ＭＩＺＵＬＡＮ  ＦＬ−８０」、純度：９０質量％）。
【００５９】
（Ｂ）成分として、以下に示す化合物を用いた。
・Ｂ１−１：ヤシ油脂肪酸アミドプロピルジメチルアミノ酢酸ベタイン（Ｅｖｏｎｉｃ社製、商品名「Ｔｅｇｏ  Ｂｅｔａｉｎ  Ｌ７」、純度：３０質量％）。
・Ｂ２−１：ラウリルジメチルアミンオキシド（ライオン・スペシャリティ・ケミカルズ株式会社製、商品名「カデナックス ＤＭ１２Ｄ−Ｗ（Ｃ）」、純度：３３質量％）。
【００６０】
（Ｃ）成分またはその比較品（（Ｃ’）成分）として、以下に示す化合物を用いた。
・Ｃ−１：ポリエーテル変性シリコーン（東レ・ダウコーニング株式会社製、商品名「ＳＨ−３７７１Ｍ」、質量平均分子量：約２４００、式（４）中、Ｒ７＝水素原子、ｊ＝７、ｋ＝３、ｈ＝１２、ｉ＝０）。
・Ｃ−２：ポリエーテル変性シリコーン（東レ・ダウコーニング株式会社製、商品名「ＳＨ−３７７２Ｍ」、質量平均分子量：約５０００、式（４）中、Ｒ７＝水素原子、ｊ＝４５、ｋ＝３、ｈ＝１２、ｉ＝０）。
・Ｃ−３：ポリエーテル変性シリコーン（東レ・ダウコーニング株式会社製、商品名「ＳＨ−３７７３Ｍ」、質量平均分子量：約４０００、式（４）中、Ｒ７＝水素原子、ｊ＝２８、ｋ＝３、ｈ＝１２、ｉ＝０）。
・Ｃ−４：ポリエーテル変性シリコーン（東レ・ダウコーニング株式会社製、商品名「ＳＨ−３７７５Ｍ」、質量平均分子量：約７０００、式（４）中、Ｒ７＝水素原子、ｊ＝７０、ｋ＝３、ｈ＝１２、ｉ＝０）。
・Ｃ−５：ポリエーテル変性シリコーン（東レ・ダウコーニング株式会社製、商品名「ＳＨ−３７４９」、質量平均分子量：約２４０００、式（４）中、Ｒ７＝水素原子、ｊ＝７５、ｋ＝７、ｈ＝２０、ｉ＝２０）。
・Ｃ−６：ジメチルポリシロキサン（東レ・ダウコーニング株式会社製、商品名「ＳＨ２００  Ｆｌｕｉｄ  ５０ＣＳ」）。
【００６１】
（Ｄ）成分として、以下に示す化合物を用いた。
・Ｄ−１：ＭｇＳＯ４・７Ｈ２Ｏ（硫酸マグネシウム７水和物、純正化学株式会社製）。
・Ｄ−２：ＺｎＳＯ４・７Ｈ２Ｏ（硫酸亜鉛７水和物、純正化学株式会社製）。
【００６２】
任意成分として、以下に示す化合物を用いた。
・ＥｔＯＨ：エタノール（関東化学株式会社製、商品名「エタノール（９５）」、純度：９５質量％）。
・ＣＤＥ：ヤシ油脂肪酸ジエタノールアミド（川研ファインケミカル株式会社製、商品名「アミゾールＣＤＥ−Ｇ」）。
・ＡＥ：炭素数１０の分岐型アルコールに１０モル相当のエチレンオキシドを付加した、ポリオキシエチレンモノ（２−プロピルへプチル）エーテル（ＢＡＳＦ社製、商品名「Ｌｕｔｅｎｓｏｌ  ＸＰ−１００」）。
・ｐＨ調整剤：水酸化ナトリウム（関東化学株式会社製、１ｍｏｌ／ｌ水酸化ナトリウム溶液（１Ｎ））および硫酸（関東化学株式会社製、１ｍｏｌ／ｌ硫酸（２Ｎ））の少なくとも一方。
【００６３】
「実施例１〜２９、比較例１〜７」
表１〜６に示す配合組成に従って、以下に示す製造方法（未配合の成分がある場合、その成分は配合しない）により、各例の洗浄剤組成物をそれぞれ調製した。
表１〜６中の配合量の単位は質量％であり、いずれの成分も純分換算量を示す。なお、各例の洗浄剤は、表１〜６に記載の各成分の合計が１００質量％となるように（Ｅ）成分（イオン交換水）でバランスして調製した。
【００６４】
表１〜６に示す組成の洗浄剤１０００ｇを下記の手順で調製した。
１Ｌビーカーに（Ａ）成分と（Ｅ）成分３００ｇを入れ、スリーワンモータ（新東科学株式会社製、製品名「ＦＢＬ６００」）で溶解するまで撹拌した。続いて、（Ｂ）成分、（Ｃ）成分、（Ｄ）成分および任意成分を入れ、完全に溶解するまで撹拌した。得られた混合液の２５℃でのｐＨが４．５になるように、ｐＨ調整剤を適量添加した後、全体量が１００質量％になるように（Ｅ）成分を加え、均一になるまで撹拌し、洗浄剤を得た。
上記ｐＨは、混合液を２５℃に調温し、ガラス電極式ｐＨメーター（東亜ディーケーケー株式会社製、製品名「ＨＭ−３０Ｇ」）を用い、ガラス電極を混合液に直接に浸漬し、１分間経過後に示すｐＨを測定した。測定方法は、ＪＩＳ  Ｚ  ８８０２：１９８４「ｐＨ測定方法」に準拠して行った。
各例の洗浄剤について、以下に示す評価方法によって各評価を行った。結果を表１〜６に示す。
【００６５】
＜洗浄力の評価＞
バター（雪印メグミルク株式会社製、商品名「雪印北海道バター」）０．５ｇをポリプロピレン製の直径２５ｃｍの円形平板皿に均一に塗布し、２５℃で１時間以上放置し、汚垢皿とした。
直径２０ｃｍ、深さ１０ｃｍのプラスチック製のボウルに２５℃の水道水を１Ｌ加え、各例の洗浄剤をボウルの中央部に１０ｇ滴下した。その直後にスポンジ（スリーエムジャパン株式会社製、商品名「スコッチブライト」）をボウル内に浸して、洗浄剤が完全に溶解するまで目視で確認しながら充分に撹拌した。撹拌後、スポンジに染み込んだ溶液量が４０ｇになるように電子天秤で計量しながらスポンジを取り出し、取り出したスポンジをバターが付着した上記汚垢皿の上で５回揉んで泡立てた後、その汚垢皿を泡立てたスポンジで１０回擦った。その後、汚垢皿を水道水ですすいだ。すすぎ後の皿を１時間風乾させた後、下記評価基準に従って汚れ落ち具合を評価した（５段階評価）。
◎◎：バターの汚れ残りが目視では確認されず、指で皿を擦った際にヌルついていない。
◎：バターの汚れ残りが目視では確認されず、指で皿を擦った際に僅かにヌルつく。
○：バターの汚れ残りは目視では確認できないが、指で皿を擦った際にややヌルつく。
△：バターの汚れ残りが目視で僅かに確認され、指で皿を擦った際にややヌルつく。
×：バターの汚れ残りが目視でかなり確認され、指で皿を擦った際にかなりヌルつく。
【００６６】
＜消臭効果＞
いわし油（市販試薬、米山薬品工業株式会社製）０．１ｇをポリプロピレン製の直径２５ｃｍの円形平板皿に均一に塗布し、２５℃で１時間以上放置し、汚垢皿とした。
直径２０ｃｍ、深さ１０ｃｍのプラスチック製のボウルに２５℃の水道水を１Ｌ加え、各例の洗浄剤をボウルの中央部に１０ｇ滴下した。その直後にスポンジ（スリーエムジャパン株式会社製、商品名「スコッチブライト」）をボウル内に浸して、洗浄剤が完全に溶解するまで目視で確認しながら充分に撹拌した。撹拌後、スポンジに染み込んだ溶液量が４０ｇになるように電子天秤で計量しながらスポンジを取り出し、取り出したスポンジをいわし油が付着した上記汚垢皿の上で５回揉んで泡立てた後、その汚垢皿を泡立てたスポンジで１０回擦った。その後、汚垢皿を水道水ですすいだ。すすぎ後の皿を１時間風乾させた後、下記評価基準に従って臭い残りの有無を専門パネラ２名で評価した（５段階評価）。
４点：いわし油由来の魚臭が完全に感じられない。
３点：いわし油由来の魚臭が殆ど感じられない。
２点：いわし油由来の魚臭が僅かに感じられる。
１点：いわし油由来の魚臭がかなり感じられる。
０点：いわし油由来の魚臭が非常に感じられる。
【００６７】
専門パネラ２名の平均点を求め、下記評価基準に従って評価した。
◎◎：４点
◎：３〜３.５点
○：２〜２．５点
△：０．５〜１．５点
×：０点
【００６８】
【表１】
2018002823.tif 000005
【００６９】
【表２】
2018002823.tif 000006
【００７０】
【表３】
2018002823.tif 000007
【００７１】
【表４】
2018002823.tif 000008
【００７２】
【表５】
2018002823.tif 000009
【００７３】
【表６】
2018002823.tif 000010
【００７４】
表１〜６中、「金属分」とは、洗浄剤１００質量％中に含まれる（Ｄ）成分の含有量を金属分に換算した量（金属濃度、質量％）である。
また、「バランス」とは、洗浄剤全体で１００質量％とするのに必要な（Ｅ）成分（イオン交換水）の配合量（質量％）である。
また、「Ａ１＋Ａ２」は、洗浄剤１００質量％中の（Ａ１）成分と（Ａ２）成分の量（質量％）の合計（すなわち、洗浄剤１００質量％中の（Ａ）成分の量（質量％））である。「Ａ１／Ａ」は、（Ａ）成分の総質量に対する（Ａ１）成分の量（質量％）である。「Ａ２／Ａ」は、（Ａ）成分の総質量に対する（Ａ２）成分の量（質量％）である。「Ａ１／Ａ２比」は、「（Ａ１）成分／（Ａ２）成分」で表される質量比である。「（Ａ＋Ｂ）／Ｃ比」は、「（（Ａ）成分＋（Ｂ）成分）／（Ｃ）成分」で表される質量比である。「（Ａ＋Ｂ）／２価の金属分比」は、「（（Ａ）成分＋（Ｂ）成分）／台所用液体洗浄剤に含まれる２価の金属分」で表される質量比である。なお、実施例１〜２９、比較例１〜７の場合、台所用液体洗浄剤に含まれる２価の金属分は、（Ｄ）成分に由来する。
【００７５】
表１〜５から明らかなように、各実施例の洗浄剤は、水で希釈しても、洗浄力および消臭効果に優れていた。
特に、（Ａ＋Ｂ）／２価の金属分比が３０〜３５０の範囲内である実施例２〜６は、実施例１、７に比べて消臭効果により優れていた。
（Ａ＋Ｂ）／Ｃ比が２．５〜６０の範囲内である実施例４、９〜１２は、実施例８、１３に比べて洗浄力および消臭効果により優れていた。
Ａ１／Ａ２比が０．２〜４．５の範囲内である実施例４、２１〜２４は、実施例２０、２５に比べて消臭効果により優れていた。
【００７６】
一方、表６から明らかなように、（Ａ１）成分、（Ｂ）成分、（Ｃ）成分、（Ｄ）成分のいずれかを含まない比較例１〜４の洗浄剤は、消臭効果に劣っていた。特に、（Ａ１）成分、（Ｂ）成分、（Ｄ）成分のいずれかを含まない比較例１、２、４の洗浄剤は、洗浄力にも劣っていた。
未変性のジメチルポリシロキサンを用いた比較例５の洗浄剤は、洗浄力および消臭効果に劣っていた。
（Ａ＋Ｂ）／Ｃ比が０．７５である比較例６の洗浄剤は、洗浄力および消臭効果に劣っていた。
（Ａ＋Ｂ）／Ｃ比が１９３．２２である比較例７の洗浄剤は、消臭効果に劣っていた。